(57)【特許請求の範囲】
【請求項１】
底部パネルに連結した互いに対向する側部パネルとそれぞれ物品を受入れる複数の隔室への搬送体分割を行う分割手段とを備え、各物品がこれ等の物品自体で搬送体全体を開いた状態に保持できるのに十分な距離だけ前記各隔室に入るまで物品の装入中に開いた状態に保持する必要のある構成を持ち、前記各側部パネルに連結した端部パネルを備え、これ等の端部パネルの少なくとも一方を互いに隣接する２つの端部パネル区分により構成し、これ等の各端部パネル区分に内面と協働する側部パネルに連結した外縁部と内方に延びる上下方向支持部材に連結した内縁部とを設けたバスケット形物品において、
実質的に水平の縁部を持つ前記各端部パネル区分と、
これ等の各端部パネル区分の実質的に水平の縁部に折り線に沿って連結され協働する端部パネル区分の内方に延び装入中に前記上下方向支持部材に衝合して搬送体開き状態を保持し搬送体装入後に協働する端部パネル区分の内面に対し折曲げるタブと
を備えたバスケット形物品搬送体。
【請求項２】
前記各端部パネル区分の実質的に水平の縁部をこの端部パネル区分の上縁部とした請求の範囲第１項記載のバスケット形物品搬送体。
【請求項３】
前記各端部パネル区分の実質的に水平の縁部をこの端部パネル区分の下縁部とした請求の範囲第１項記載のバスケット形物品搬送体。
【請求項４】
前記の内方に延びる上下方向支持部材を前記端部パネル区分に折曲げて連結した立上がりパネルとした請求の範囲第１項記載のバスケット形物品搬送体。
【請求項５】
前記の内方に延びる上下方向支持部材を前記端部パネル区分に折曲げて連結した取っ手パネルとした請求の範囲第１項記載のバスケット形物品搬送体。
【請求項６】
それぞれ端縁部を持つ互いに対向する側部パネル区分と、
これ等の各側部パネル区分に連結され物品を受入れる複数の隔室への搬送体分割を行う分割手段と、
前記側部パネル区分の少なくとも一方に折り線に沿って１つの縁部で連結され対向する自由縁部を持つ少なくとも１つの底部パネルフラップと、
前記各側部パネル区分の端縁部に折り線に沿って連結した外縁部を持ちそれぞれ内面と内方に延びる支持部材に連結した内縁部と前記の外縁部及び内縁部の間に延びる横方向縁部とを持つ端部パネル区分と、
隣接する２つの前記各端部パネル区分の横方向縁部に折り線に沿って連結され装入中は協働する端部パネル区分の内方に折曲げられ前記の内方に延びる支持部材に衝合して搬送体開き状態を保持し又搬送体装入後は協働する端部パネル区分の内面に対し折曲げるようにしたタブと
を包含する折りたたんだバスケット形物品搬送体。
【請求項７】
前記各端部パネル区分の横方向縁部を前記端部パネル区分の上縁部とした請求の範囲第６項記載の折りたたんだバスケット形物品搬送体。
【請求項８】
前記各端部パネル区分の横方向縁部を前記端部パネル区分の下縁部とした請求の範囲第６項記載の折りたたんだバスケット形物品搬送体。
【請求項９】
前記内方に延びる支持部材を前記端部パネル区分に折曲げて連結した立上がりパネルにより構成した請求の範囲第６項記載の折りたたんだバスケット形物品搬送体。
【請求項１０】
前記内方に延びる支持部材を前記端部パネル区分に折曲げて連結した取っ手パネルにより構成した請求の範囲第６項記載の折りたたんだバスケット形物品搬送体。
【請求項１１】
端縁部を持つ各側部パネル区分と、これ等の各側部パネル区分に連結され物品を受入れる複数の隔室への搬送体分割を行う分割手段と、前記側部パネル区分の少なくとも一方に折り線に沿い１つの縁部で連結され対向する自由縁部を持つ少なくとも１つの底部パネルフラップと、前記各側部パネル区分の端縁部に折り線に沿って連結した外縁部を持つ端部パネル区分とを備え、これ等の各端部パネル区分を素材形成搬送体の端部パネルを形成する１対の端部パネル区分の一方とし、前記各端部パネル区分に内面と支持部材に連結した内縁部と前記の外縁部及び内縁部の間に延びる横方向縁部とを設けた、バスケット形物品搬送体を形成する素材において、
前記の外縁部及び内縁部の間に延びる横方向縁部を持ち素材形成搬送体の前記端部パネルの一方を形成する各端部パネル区分と、
これ等の各端部パネル区分の横方向縁部に折り線に沿って連結され協働する端部パネル区分の内方に折曲げられ装入中は内方に延びる前記支持部材に衝合して前記搬送体を開いた状態に保持しこの搬送体への装入後は協働する端部パネル区分の内面に対し折曲げるようにしたタブと
を備えた搬送体形成素材。
【発明の詳細な説明】
技術分野
本発明は、飲料びんのような物品を運ぶバスケット形搬送体に関する。ことに本発明は、物品の装入時に開いた状態で搬送体保持を行う保持手段を備えたバスケット形搬送体に関する。
背景技術
バスケット形搬送体は、一般に飲料びんを包装するのに使われる。これ等の搬送体は、びんを容易に取出すことのできる各びん用の隔室と、包装品を容易に運ぶための中央取って仕切とを備えている。搬送体は、折りたたまれた搬送体形状に折曲げて接着する素材から作る。次いでこの折りたたまれた搬送体は引起こしてびんを装入する。ある構造では、折りたたんだ搬送体を引起こしたときに、びんを開いた隔室を経て底部パネル上に装入するように一体に形成してある。他の構造では底部パネルは、各びんを隔室に装入した後底部パネルフラップを互いに連結することによって形成する。この構造でびんを隔室内に装入するには、折りたたんだ搬送体は、開くだけでなく搬送体内にこの搬送体を開いた状態に保持するのに十分なだけびんが装入されるまで開いた状態に保たなければならない。通常各包装機部品は、初めに搬送体を開いた状態に各びんがこの状態に装入されるまで保持するようにする。しかしこの場合包装機の構造が複雑になり包装機の速度に制限を受ける。
搬送体構造を複雑にしないで又は搬送体構造をあまり高価にすることなく、包装機部品以外の手段により、引起こした搬送体を開いた状態に保持することは極めて望ましい。
発明の開示
本発明は、各物品が搬送体隔室にこれ等の物品自体で搬送体開き状態を保持できるのに十分な距離だけ入るまで物品の装入中に開いた状態に保持する必要のある任意のバスケット形物品搬送体に適用する。このような搬送体の端部パネルの少なくとも１つは、それぞれ協働する側部パネルに又内方に延びる上下方向支持部材に連結した互いに隣接する２つの端部パネル区分から構成してある。各端部パネル区分の実質的に水平の縁部に折り線に沿って連結した保持タブは、端部パネル区分から内方に延びている。このタブは、横方向に延び、装入中に上下方向支持部材に衝合して搬送体を開いた状態に保持し、この搬送体への装入の終了後に協働する端部パネル区分の内面に対し折曲げる。
取っ手パネルから延びる帯状体により各隔室を形成した搬送体では、上下方向支持部材は、端部パネル区分に折曲げて連結した立上がりパネルである。各隔室を複合の中央支持パネル及び取っ手パネルから延びる隔壁により形成した搬送体では、上下方向支持部材は複合パネルである。各タブは、端部パネル区分の上縁部又は下縁部に連結されそして搬送体のいずれかの端部又は両端部に設ける。
本発明のこれ等の又その他の特長及び態様は後述の好適な実施例についての詳細な説明から明らかである。
【図面の簡単な説明】
第１図は本発明によるバスケット形搬送体の斜視図である。
第２図は本搬送体を作る素材の平面図である。
第３図は初めの折曲げ工程後の搬送体素材の平面図である。
第４図は第２の一連の折曲げ工程後の搬送体素材の平面図である。
第５図は最終の折曲げ工程から得られる折りたたんだ搬送体の平面図である。
第６図は底部パネルの形成に先だって引起こした搬送体を作動位置における保持タブを表わすようにこの搬送体の一部を除いて示す斜視図である。
第７図はびんの装入処理中の引起こした搬送体の斜視図である。
第８図は第７図の８−８線に沿う拡大断面図である。
第９図は保持タブを端部パネル区分の上縁部に位置させた変形構造の斜視図である。
第10図は異なる形式のバスケット形搬送体を示す、第６図と同様な斜視図である。
好適な実施例
第１図に示すように本発明のバスケット形搬送体10は、端部パネル16に連結した立上がりパネル14に連結した中央取っ手パネル12を備えている。各端部パネル16は側部パネル18に連結され、該側部パネル18はこの図には示してない底部パネルに連結してある。びん又はその他の物品を受入れる個別の隔室は、側部パネル18から取っ手パネル12に延びる帯状体20により形成する。取っ手パネル12は取っ手穴22を備え、又搬送体10は、この図には示してない保持タブを備えている。これ等の保持タブは、詳しく後述するように装入中に搬送体を開いた状態に保持するように作用する。
第１図に使ったのと同様な参照数字により同様な部品を表わす第２図では搬送体10を形成する素材30は一般に長方形の形を持つものとして示してある。素材30は搬送体業界で通常使われる種類のボール紙から形成するのがよい。素材30の右側の中央部に、折り線32により互いに連結した互いに同様な２つの外部取っ手パネル区分12を位置させてある。各パネル区分12のすぐ左方に互いに同様な２つの内部取っ手パネル区分34を設けてある。各内部取っ手パネル区分34は折り線36により相互に又折り線38によりパネル区分12に連結してある。内部取っ手パネル区分34は、素材形成搬送体の取っ手穴22の下側に位置するようにした取っ手穴40を形成してある。そして折り線36は折り線32の延長部分である。折り線36の各端部の切欠きにより折曲げが容易になる。
各帯状体20の一端部は折り線42により外部取っ手パネル区分12に連結してあるが、他端部は折り線44により側部パネル区分18に連結してある。側部パネル区分18の一方は折り線46に沿い底部パネルフラップ48に連結され、又他方の側部パネル区分18は折り線50に沿い接着剤フラップ52に連結してある。折り線46、50は折曲げを容易にするように切欠きを持つ。各側部パネル区分18は折り線56により端部パネル区分58に連結してある。端部パネル区分58は、素材30の互いに対向する端部で折り線60に沿い立上がりパネル区分14に連結してある。各折り線32、36の連続部分である折り線62は素材30の各端部で各立上がりパネル区分14を互いに連結し、又折り線60の連続部分である折り線64は素材の右側で立上がりパネル区分14を外部取っ手パネル区分12に連結する。各折り線38、42、64により形成した取っ手パネル区分縁部以外では取っ手パネル区分縁部は、スリットにより形成され、素材30を搬送体に形成するときに自由縁部を生成する。
このようにして得られる搬送体素材は、帯状体により隔離された隔室を持つバスケット形搬送体を形成する素材の一例である。本発明によれば前記した部品のほかに素材は又、この素材の右側で折り線46、50の延長部分である折り線68に沿い各端部パネル区分58の端部に連結した保持タブすなわちフラップ66を備えている。
素材30から搬送体を形成するには外部取っ手パネル区分12に点彩で示すように接着剤を塗布し、内部取っ手パネル区分34を折り線38のまわりに外部取っ手パネル区分12に枢動させる。接着した取っ手パネル区分を持つ素材30は第３図に例示した通りである。次の工程では第３図に点彩で示した立上がりパネル区分14の区域に接着剤を施し、次いで左端部パネル区分58を折り線56のまわりに折曲げ又右側立上がりパネル区分14を折り線60のまわりに折曲げる。これ等の工程により第４図に示した素材中間形状が得られる。
形成作業の最終順序では、第４図に示した立上がりパネル区分14及び内部取っ手パネル区分34の点彩区域に接着剤を施し次いで素材を折り線62、36、32のまわりに折曲げる。このようにして第５図に例示した折りたたんだ搬送体が得られる。第５図では素材の右側の端部パネル区分58から形成した端部パネルは折曲げた状態の側部パネル18から延び、素材の左側の端部パネル区分から形成した端部パネルは各側部パネルの間で内方に折曲げてある。各タブ66及び底部パネルフラップ18はこの時点ではなお折曲げてない状態にある。
第５図の折りたたんだ搬送体から装入搬送体を形成するには、外方に延びる端部区分の外端部を当業界にはよく知られているように対向端部に向かい押圧することにより、折りたたんだ搬送体を引起こす。この場合タブ66は第６図に示すようにそれぞれ折り線68のまわりに上向きに折曲げ搬送体の内部に向かい延びるようにする。分かりやすいようにこの図では１つのタブだけしか示してないが、両方のタブを同様に折曲げるのはもちろんである。この位置における各タブ66の側縁部は隣接する立上がりパネル14に接触する。引起こし力を除くと、搬送体はその折りたたまれた状態に戻る向きに折れる傾向があるが、保持タブ66及び立上がりパネル14間の接触によりこの折れ戻りが生じないようにする。すなわちタブ66は搬送体を引起こされた状態に保つと共に隔室が開いて装入中にびんを受入れるようにする。
第７図に例示したように開いた搬送体は次いでびんＢ上に下ろすが、底部パネルフラップ48及び接着剤フラップ52はなお折曲げてない。内方に折曲げた保持タブ66が搬送体の下降する工程中にびんに接触するときは、各タブ66を第８図に示すように端部パネルの内面に向かい上方に折曲げる。すなわち各保持タブ66は、びんが隔室に入るのに先だって臨界的時間中に搬送体を引起こし状態に保持するが、各びんが隔室に入った後はびん及び搬送体の間の相対運動の妨げにはならない。開いた搬送体をびん上に搬送体最終位置に押下げた後、仕上がり搬送体を形成する際の最終工程として底部パネルフラップ48及び接着剤フラップ52を折曲げ重ね合わせた状態で互いに接着する。
各保持タブ66は所望により両端部パネルの下端部に設けてあるが、一方の端部だけの保持タブで通常搬送体を引起こし状態に適当に保持するから、前記のように両方の端部パネルに通常保持タブを設ける必要はない。
本発明は各端部パネル区分の底縁部に保持タブを設けることに限定するものではない。保持タブは装入処理にびんに対する搬送体の上向きの相対運動を必要とする場合には代りに頂部に設けるのはもちろんである。第９図はこのような構造を例示したものである。第９図では保持タブ70を下縁部の代りに端部パネル区分58の上縁部に連結してある。各タブ70は第１の実施例に関して前記したのと同じように機能する。
本発明は第１図ないし第９図に示した搬送体に限るものでないのはもちろんである。たとえば第10図に示した保持タブは、この場合の搬送体がいくぶん異なる構造を持っていても、第１図ないし第９図の保持タブと同じようにして機能する。第10図の搬送体72では、上部取っ手パネルに連結した各別の立上がりパネルは設けてない。その代りにこの搬送体は、複合の取っ手パネルと実質的に底部パネルまで下方に延びる中央支持パネル74とを備えている。そして隔壁76は支持パネル74から側部パネル78まで延びている。端部パネル区分82の下縁部に連結した保持タブ80は支持パネル74に接触して第１図ないし第８図の実施例の場合と同じようにして搬送体を開いた状態に保持する。基本的には、搬送体を開いた状態に保持するのに十分な程度にびんが隔室に入るまで装入過程中に或る時限にわたり開いた状態に保持する必要のある任意のバスケット形搬送体は保持タブを設けることができる。
保持タブの使用により、多年にわたる問題に簡単に経済的にしかも高度に有効に打勝つのは明らかである。本発明をびんを保持するように構成した搬送体について述べたが、本発明が他の種類の物品を保持するようにした搬送体にも同様に適用できるのは明らかである。本発明は好適な実施例について述べた詳細に必ずしも限定するものでなく、本発明の基本的な全部の機能及び考え方を変えない好適な実施例の若干の特長に対し本発明の精神を逸脱しないで種々の変化変型を行うことができる。
【図１】
0003539968.tif 000002
【図２】
0003539968.tif 000003
【図３】
0003539968.tif 000004
【図４】
0003539968.tif 000005
【図５】
0003539968.tif 000006
【図６】
0003539968.tif 000007
【図７】
0003539968.tif 000008
【図８】
0003539968.tif 000009
【図９】
0003539968.tif 000010
【図１０】
0003539968.tif 000011